(57)【特許請求の範囲】
【請求項１】
配線基板上に実装された状態で相手コネクタが嵌合されるコネクタ本体部を備えたものであって、
前記コネクタ本体部に、当該コネクタ本体部の少なくとも一部を覆うシールドシェル部材が装着されているとともに、
前記コネクタ本体部に取り付けられたコンタクト部材が、前記配線基板上の導電路に接続される基板接続脚部を有する電気コネクタにおいて、
前記シールドシェル部材には、
前記配線基板の表面部分であって前記コンタクト部材の基板接続脚部が接続される部位の近傍位置に形成されたグランド接続用の導電路に半田接続されるグランド接続部を有し、当該グランド接続部が半田接続された状態で前記配線基板の表面から立ち上がり、前記コンタクト部材の基板接続脚部の近傍に対向配置される固定シールドプレートと、
前記コンタクト部材の基板接続脚部を前記配線基板の表面に対して垂直な方向に向かって露出させるシェル開口部と、
が設けられ、かつ、
前記配線基板の表面に対向する状態で前記シェル開口部を覆うことにより前記コンタクト部材の基板接続脚部を電磁遮蔽した状態とする可動シールドプレートが設けられたものであって、
前記可動シールドプレートは、前記シェル開口部を開放状態とする非シールド位置と、前記シェル開口部を閉塞状態とするシールド位置との間で回動により往復移動可能に設けられ、当該可動シールドプレートが前記シールド位置に移動された際に、前記固定シールドプレートに接触される構成になされていることを特徴とする電気コネクタ。
【請求項２】
信号伝送媒体の端末部分が連結される第１コネクタと、配線基板の表面上に実装された状態で前記第１コネクタが嵌合される第２コネクタと、を備え、
前記第２コネクタのコネクタ本体部には、当該コネクタ本体部の少なくとも一部を覆う第２シールドシェル部材が装着されているとともに、
前記第２コネクタに取り付けられた第２コンタクト部材が、前記配線基板上の導電路に接続される基板接続脚部を有する電気コネクタ装置において、
前記配線基板の表面部分であって前記第２コンタクト部材の基板接続脚部が接続される部位の近傍位置にグランド接続用の導電路が形成されているとともに、
前記第２シールドシェル部材には、
前記グランド接続用の導電路に半田接続されるグランド接続部を有するものであって、当該グランド接続部が半田接続された状態で前記配線基板の表面から立ち上がり、前記コンタクト部材の基板接続脚部の近傍に対向配置される固定シールドプレートと、
前記コンタクト部材の基板接続脚部を前記配線基板の表面に対して垂直な方向に向かって露出させるシェル開口部と、
が設けられ、かつ、
前記第１コネクタ又は第２のコネクタに、前記配線基板の表面に対向する状態で前記シェル開口部を覆うことにより前記コンタクト部材の基板接続脚部を電磁遮蔽した状態とする可動シールドプレートが設けられたものであって、
前記可動シールドプレートは、前記シェル開口部を開放状態とする非シールド位置と、前記シェル開口部を閉塞状態とするシールド位置との間で回動により往復移動可能に設けられ、当該可動シールドプレートが前記シールド位置に移動された際に、前記固定シールドプレートに接触される構成になされていることを特徴とする電気コネクタ装置。
【請求項３】
前記可動シールドプレートが、前記相手コネクタ又は第１コネクタに回動可能に設けられていることを特徴とする請求項１記載の電気コネクタ又は請求項２記載の電気コネクタ装置。
【請求項４】
前記可動シールドプレートが、前記シールドシェル部材又は第２コネクタに回動可能に設けられていることを特徴とする請求項１記載の電気コネクタ又は請求項２記載の電気コネクタ装置。
【請求項５】
前記相手コネクタ又は第１コネクタに、嵌合保持部材が回動可能に取り付けられ、
前記両コネクタ同士の嵌合時に、前記嵌合保持部材が、嵌合開放位置から嵌合作用位置まで回動されることによって、前記両コネクタ同士の嵌合状態が維持されるように構成されたものであって、
前記嵌合保持部材には、前記可動シールドプレートが一体的に設けられていることを特徴とする請求項１記載の電気コネクタ又は請求項２記載の電気コネクタ装置。
【請求項６】
前記可動シールドプレートが、前記固定シールドプレートに対して弾性的に接触する複数の板バネ状部材を備えていることを特徴とする請求項１記載の電気コネクタ又は請求項２記載の電気コネクタ装置。
【請求項７】
前記嵌合保持部材を前記嵌合作用位置に保持するロック部が設けられていることを特徴とする請求項５記載の電気コネクタ又は電気コネクタ装置。
【発明の詳細な説明】
【技術分野】
【０００１】
本発明は、配線基板上の導電路に接続されるコンタクト部材を備えた電気コネクタ及び電気コネクタ装置に関する。
【背景技術】
【０００２】
一般に各種電気機器等において、ＦＰＣ（フレキシブル・プリンテッド・サーキット）や、ＦＦＣ（フレキシブル・フラット・ケーブル）、或いは同軸ケーブル等からなる各種の信号伝送媒体の端末部分を印刷配線基板に接続するにあたって、電気コネクタ装置が広く用いられている。その電気コネクタ装置は、例えば印刷配線基板上に実装されるリセプタクルコネクタに対して、同軸ケーブル等の信号伝送媒体が連結されたプラグコネクタが挿入されるようにして両電気コネクタ同士が嵌合される構成になされており、両電気コネクタのコネクタ本体部（絶縁ハウジング）に多極状をなすように配列された導電性のコンタクト部材（導電端子）を通して信号の伝送が行われるようになっている。
【０００３】
このような電気コネクタ装置においては、従来から、伝送信号に対する外部からの電磁波ノイズの影響を低減し、或いは外部に向かって放射される電磁波ノイズを低減するために、コネクタ本体部（絶縁ハウジング）の外表面やコンタクト部材の外方側を、薄板状金属部材からなる導電性のシールドシェル部材やシールドプレートで覆って電磁遮蔽（シールド）を行う構成がしばしば採用されている。
【０００４】
しかしながら、特に近年においては、伝送信号の更なる高周波化が図られるに従って、コンタクト部材（導電端子）の主体部分のみならず、配線基板との接続部位に対しても外部からの電磁波ノイズの影響をなくすとともに、そのコンタクト部材の接続部位からの電磁波ノイズの外部放射を確実に防止することが必要になりつつある。
【０００５】
なお、従来の電気コネクタ装置では、コンタクト部材と配線基板との接続部位に導電性のテープを貼り付けたものや、導電性シェルを延長して当該接続部位を覆うようにしたものもあるが、導電性テープを用いる場合にあっては、導電性テープを貼り付けるという比較的手間の掛かる作業工程が付加されるため生産性が低下する傾向となる。また、例えばリセプタクルコネクタの導電性シェルを延長することにより配線基板との接続部位を覆う場合にあっては、コンタクト部材と配線基板との接続部位が目視や画像検査等での確認ができなくなるおそれがあり、コンタクト部材等の接続作業が支障なく行われているか否かの検査・確認が難しくなるという問題がある。
【先行技術文献】
【特許文献】
【０００６】
【特許文献１】特開２００７−７３４２６号公報
【特許文献２】特開２０１１−２３８４１０号公報
【発明の開示】
【発明が解決しようとする課題】
【０００７】
そこで本発明は、簡易な構成で、配線基板との接続部位に関する電磁遮蔽を容易かつ確実に行うことができるようにした電気コネクタ及び電気コネクタ装置を提供することを目的とする。
【課題を解決するための手段】
【０００８】
上記目的を達成するため請求項１にかかる発明においては、 配線基板上に実装された状態で相手コネクタが嵌合されるコネクタ本体部を備えたものであって、 前記コネクタ本体部に、当該コネクタ本体部の少なくとも一部を覆うシールドシェル部材が装着されているとともに、 前記コネクタ本体部に取り付けられたコンタクト部材が、前記配線基板上の導電路に接続される基板接続脚部を有する電気コネクタにおいて、 前記シールドシェル部材には、前記配線基板の表面部分であって前記コンタクト部材の基板接続脚部が接続される部位の近傍位置に形成されたグランド接続用の導電路に半田接続されるグランド接続部を有し、当該グランド接続部が半田接続された状態で前記配線基板の表面から立ち上がり、前記コンタクト部材の基板接続脚部の近傍に対向配置される固定シールドプレートと、前記コンタクト部材の基板接続脚部を前記配線基板の表面に対して垂直な方向に向かって露出させるシェル開口部とが設けられ、かつ前記配線基板の表面に対向する状態で前記シェル開口部を覆うことにより前記コンタクト部材の基板接続脚部を電磁遮蔽した状態とする可動シールドプレートが設けられたものであって、前記可動シールドプレートは、前記シェル開口部を開放状態とする非シールド位置と、前記シェル開口部を閉塞状態とするシールド位置との間で回動により往復移動可能に設けられ、当該可動シールドプレートが前記シールド位置に移動された際に、前記固定シールドプレートに接触される構成が採用されている。
【０００９】
また、請求項２にかかる発明においては、信号伝送媒体の端末部分が連結される第１コネクタと、配線基板の表面上に実装された状態で前記第１コネクタが嵌合される第２コネクタとを備え、前記第２コネクタのコネクタ本体部には、当該コネクタ本体部の少なくとも一部を覆う第２シールドシェル部材が装着されているとともに、前記第２コネクタに取り付けられた第２コンタクト部材が、前記配線基板上の導電路に接続される基板接続脚部を有する電気コネクタ装置において、前記配線基板の表面部分であって前記第２コンタクト部材の基板接続脚部が接続される部位の近傍位置にグランド接続用の導電路が形成されているとともに、前記第２シールドシェル部材には、前記グランド接続用の導電路に半田接続されるグランド接続部を有するものであって、当該グランド接続部が半田接続された状態で前記配線基板の表面から立ち上がり、前記コンタクト部材の基板接続脚部の近傍に対向配置される固定シールドプレートと、前記コンタクト部材の基板接続脚部を前記配線基板の表面に対して垂直な方向に向かって露出させるシェル開口部とが設けられ、かつ前記第１コネクタ又は第２のコネクタに、前記配線基板の表面に対向する状態で前記シェル開口部を覆うことにより前記コンタクト部材の基板接続脚部を電磁遮蔽した状態とする可動シールドプレートが設けられたものであって、前記可動シールドプレートは、前記シェル開口部を開放状態とする非シールド位置と、前記シェル開口部を閉塞状態とするシールド位置との間で回動により往復移動可能に設けられ、当該可動シールドプレートが前記シールド位置に移動された際に、前記固定シールドプレートに接触される構成が採用されている。
【００１０】
このような構成を備えた請求項１又は請求項２にかかる発明によれば、まず固定シールドプレートによって、コンタクト部材又は第２コンタクト部材の基板接続脚部が、配線基板の表面に平行な方向（配線基板の延在方向）において外方側から覆われるとともに、両電気コネクタ同士の嵌合後に可動シールドプレートがシェル開口部を覆うように回動操作されることによって、コンタクト部材又は第２コンタクト部材の基板接続脚部が、配線基板の垂直上方側から可動シールドプレートにより覆われることから、配線基板との接続部位に対する電磁遮蔽（シールド）が良好に行われるとともに、コンタクト部材又は第２コンタクト部材の基板接続脚部の近傍に配置されたグランド接続用の導電路に固定シールドプレートが接続されていることによって、電磁遮蔽を行う部位の近傍位置でのグランド接続が行われ、良好な電磁遮蔽の特性が得られる。また、可動シールドプレートがシェル開口部を覆う位置まで回動操作されるまでは、配線基板との接続部位がシェル開口部を通して外方に露出されていることから、当該接続部位における接続状態が良好に確認される。
【００１１】
このとき、請求項３にかかる発明のように、前記可動シールドプレートが、前記相手コネクタ又は第１コネクタに回動可能に設けられていることが可能である。また、請求項４にかかる発明のように、前記可動シールドプレートが、前記シールドシェル部材又は第２コネクタに回動可能に設けられていることが可能である。
【００１２】
さらに、請求項５にかかる発明のように、前記相手コネクタ又は第１コネクタに、嵌合保持部材が回動可能に取り付けられ、前記両コネクタ同士の嵌合時に、前記嵌合保持部材が、嵌合開放位置から嵌合作用位置まで回動されることによって、前記両コネクタ同士の嵌合状態が維持されるように構成されたものであって、前記嵌合保持部材には、前記可動シールドプレートが一体的に設けられていることが望ましい。
【００１３】
このような構成を備えた請求項５記載の発明によれば、両コネクタ)同士の嵌合後に嵌合保持部材を回動操作することで、両コネクタ同士の嵌合状態が良好に維持されると同時にコンタクト部材に対する電磁遮蔽が行われ、しかも嵌合保持部材の把持力によって、電磁遮蔽（シールド）を行うためのグランド接続が確実かつ強固に行われ、電磁遮蔽特性が一層向上される。
【００１４】
さらにまた、請求項６にかかる発明のように、前記可動シールドプレートが、前記固定シールドプレートに対して弾性的に接触する複数の板バネ状部材を備えていることが望ましい。
【００１５】
このような構成を備えた請求項６記載の発明によれば、可動シールドプレートと固定シールドプレートとが、板バネ状部材を介して良好に行われることから、電磁遮蔽（シールド）特性が更に向上される。
【００１６】
さらにまた、請求項７にかかる発明のように、前記嵌合保持部材を前記嵌合作用位置に保持するロック部が設けられていることが望ましい。
【００１７】
このような構成を備えた請求項７記載の発明によれば、両コネクタ同士の嵌合状態がロック部により良好に保持される。
【発明の効果】
【００１８】
以上のように本発明は、配線基板に実装される電気コネクタのシールドシェル部材に設けた固定シールドプレートが、コンタクト部材の基板接続脚部の近傍に配線基板の表面と平行な方向（配線基板の延在方向）において対向するように配置される構成に加えて、両コネクタ同士の嵌合後の移動操作によりシェル開口部を覆う可動シールドプレートを設け、それらの固定シールドプレート及び可動シールドプレートによりコンタクト部材の少なくとも基板接続脚部を外方側から覆うこととし、配線基板との接続部位に対する電磁遮蔽（シールド）を良好に行うとともに、コンタクト部材の基板接続脚部の近傍に配置したグランド接続用の導電路に固定シールドプレートを接続して、電磁遮蔽を行う部位の近傍位置でのグランド接続を行い、良好な電磁遮蔽の特性を得つつ、可動シールドプレートがシェル開口部を覆うように移動操作されるまでは、配線基板との接続部位をシェル開口部を通して外方に露出させ、当該接続部位における接続状態を良好に確認可能とする構成を採用したものであるから、簡易な構成で、生産性を損なうことなく、配線基板との接続部位に関する電磁遮蔽を容易かつ確実に行うことができ、電気コネクタ及び電気コネクタ装置の信頼性を低廉かつ大幅に高めることができる。
【図面の簡単な説明】
【００１９】
【図１】本発明の第１の実施形態にかかるリセプタクルコネクタ（第２コネクタ）をコネクタ後方側の上方から表した外観斜視説明図である。
【図２】図１に示した本発明の第１の実施形態にかかるリセプタクルコネクタ（第２コネクタ）に、相手コネクタとしてのプラグコネクタ（第１コネクタ）を嵌合した直後の状態における電気コネクタ装置を表した外観斜視説明図である。
【図３】図２の状態において「嵌合開放位置」にある嵌合保持部材を「嵌合作用位置」まで回動操作した後の状態における電気コネクタ装置を表した外観斜視説明図である。
【図４】図３に示した両コネクタ同士の嵌合状態にある電気コネクタ装置を表した平面説明図である。
【図５】図３及び図４に示した両コネクタ同士の嵌合状態にある電気コネクタ装置を表した正面説明図である。
【図６】図３及び図４に示した両コネクタ同士の嵌合状態にある電気コネクタ装置を表した側面説明図である。
【図７】図３及び図４に示した両コネクタ同士の嵌合状態にある電気コネクタ装置を表した背面説明図である。
【図８】図２〜図７に表した両コネクタ同士を嵌合する前の状態における電気コネクタ装置の下段側同軸ケーブルの断面位置でのコネクタ長手方向に直交する方向の横断面説明図である。
【図９】図２〜図７に表した両コネクタ同士を嵌合する前の状態における電気コネクタ装置の上段側同軸ケーブルの断面位置におけるコネクタ長手方向に直交する方向の横断面説明図である。
【図１０】図７に示したC−C線に沿った横断面説明図である。
【図１１】図７に示したD−D線に沿った横断面説明図である。
【図１２】本発明の第２の実施形態にかかるリセプタクルコネクタ（第２コネクタ）の初期状態をコネクタ後方側の上方から表した外観斜視説明図である。
【図１３】図１２の状態から可動シールドプレートを回動させて閉塞した状態を表した外観斜視説明図である。
【図１４】図１３の状態にあるリセプタクルコネクタ（第２コネクタ）に、相手コネクタとしてのプラグコネクタ（第１コネクタ）を嵌合した直後の状態における電気コネクタ装置を表した外観斜視説明図である。
【図１５】図１４の状態において「嵌合開放位置」にある嵌合保持部材を「嵌合作用位置」まで回動操作した後の状態における電気コネクタ装置を表した外観斜視説明図である。
【発明を実施するための形態】
【００２０】
以下、複数本の同軸ケーブルを印刷配線基板側に接続する電気コネクタ及び電気コネクタ装置に本発明を適用した場合の実施形態に関する説明を図面に基づいて詳細に行う。
【００２１】
［電気コネクタ装置の全体構造の概要］
まず、図１〜図１１に表された本発明の第１の実施形態にかかる電気コネクタ装置は、信号伝送媒体を構成する同軸ケーブルＳＣの端末部分が連結された第１コネクタ（相手コネクタ）としてのプラグコネクタ１と、印刷配線基板Ｂ上に実装された第２コネクタとしてのリセプタクルコネクタ２と、を備えた水平嵌合型の電気コネクタ装置であって、嵌合の相手コネクタとしてのプラグコネクタ（第１コネクタ）１が、図１に示されたリセプタクルコネクタ（第２コネクタ）２に対して略水平方向に対向するように配置された後に、印刷配線基板Ｂの表面に対して略平行な方向（印刷配線基板Ｂの延在方向）にプラグコネクタ１がリセプタクルコネクタ２側に近接するように水平に移動される。それによって、プラグコネクタ１の先端側部分が、リセプタクルコネクタ２の開口部を通して内部に差し込まれ、図２のように両コネクタ１，２同士が嵌合状態になされる。
【００２２】
このように本実施形態においては、相手コネクタとしてのプラグコネクタ（第１コネクタ）１をリセプタクルコネクタ（第２コネクタ）２に差し込む方向、及びその反対方向に抜き出す方向が、印刷配線基板Ｂの表面が延在する方向と略平行な方向となる構成になされているが、以下において印刷配線基板Ｂの表面が延在する方向を「水平方向」とし、その印刷配線基板Ｂの表面に直交する方向を「上下方向」とする。また、相手コネクタであるプラグコネクタ１においては、当該プラグコネクタ１をリセプタクルコネクタ２に差し込む方向を「前方向」とし、その反対方向に抜き出す方向を「後方向」とする。さらに、リセプタクルコネクタ２においては、当該リセプタクルコネクタ２から上記プラグコネクタ１を抜き出す方向を「前方向」とし、その反対方向を「後方向」とする。
【００２３】
このような電気コネクタ装置を構成しているプラグコネクタ（第１コネクタ）１、及びリセプタクルコネクタ（第２コネクタ）２の両コネクタは、細長状に形成された絶縁部材からなるコネクタ本体部としての絶縁ハウジング１１，２１をそれぞれ備えている。それら絶縁性の絶縁ハウジング（コネクタ本体部）１１，２１には、当該絶縁ハウジング１１，２１の長手方向（図６の紙面垂直方向）に沿って、コンタクト部材としての複数の導電コンタクト部材（導電端子）１２，２２が、適宜のピッチ間隔で多極状をなすように配列されている。
【００２４】
また、上述した両電気コネクタ１，２のうち、プラグコネクタ（第１コネクタ）１における後方側の端縁部（以下、後端縁部という。）には、コネクタ長手方向に沿って多極状に並列するように配列された複数本の同軸ケーブルＳＣの端末部分が、上下の２段にわたって連結されている。それら上段及び下段の両同軸ケーブルＳＣ，ＳＣ同士は、多極配列の方向（コネクタ長手方向）において互いに半ピッチだけ位置ズレした配置関係になされている。
【００２５】
そのような各同軸ケーブルＳＣの端末部分においては、特に図８〜図１１に示されているように、被覆材が皮剥きされることによってケーブル中心導体（信号線）ＳＣａ、及びケーブル外部導体（シールド線）ＳＣｂが同軸状をなすように露出されている。そして、当該同軸ケーブルＳＣの中心軸線に沿うように配置されたケーブル中心導体ＳＣａが、信号伝送用の導電コンタクト部材（導電端子）１２，２２に接続されることによって信号回路が構成されるようになっている。このケーブル中心導体ＳＣａに関する接続構造については後段において詳細に説明する。
【００２６】
また、上述したケーブル中心導体ＳＣａの外周側を同心状に取り囲むように配置されたケーブル外部導体ＳＣｂは、上下２段の多極配列段ごとに、導電性のグランド部材を構成しているグランドバーＧＢの内部を貫通するように配置されている。本実施形態における上下２段の各グランドバーＧＢは、上述した同軸ケーブルＳＣの多極配列方向（コネクタ長手方向）に沿って長尺状に延在する細長ブロック状部材から形成されており、当該各グランドバーＧＢが、同軸ケーブルＳＣのケーブル外部導体（シールド線）ＳＣｂに対して、半田付けやカシメや圧接等により一括的に接続されている。このようにして設けられた上下２段の各グランドバーＧＢは、後述する導電性シェル等を介して印刷配線基板Ｂに形成されたグランド回路に接続される。
【００２７】
［絶縁ハウジング及び導電コンタクト部材］
ここで、上述したプラグコネクタ（第１コネクタ）１、及びリセプタクルコネクタ（第２コネクタ）２の両電気コネクタは、前述したように導電コンタクト部材（導電端子）１２，２２の多極配列方向（コネクタ長手方向）に細長状に延在する細長状の絶縁ハウジング（コネクタ本体部）１１，２１をそれぞれ備えているが、これらの絶縁ハウジング１１，２１に取り付けられた導電コンタクト部材１２，２２は、上下２段の同軸ケーブルＳＣ，ＳＣにそれぞれ対応して互いに形状が異なるように形成されており、多極配列方向（コネクタ長手方向）に交互に配置された上段側の同軸ケーブルＳＣと、下段側の同軸ケーブルＳＣとの各々に対応して、互いに異なる形状を有する２種類の導電コンタクト部材１２，２２が、多極配列方向に交互に隣接するように配列構成になされている。
【００２８】
一方、プラグコネクタ１側に設けられた絶縁ハウジング１１は、上述したようにコネクタ長手方向（多極配列方向）に延在する樹脂等の絶縁性部材から形成されているが、当該プラグコネクタ１の内部側に配置されたコネクタ本体部としての本体支持部１１ａと、その本体支持部１１ａからコネクタ前方側に向かって延出するように設けられた嵌合突部１１ｂとを、一体的に備えた構成になされている。そして、その絶縁ハウジング１１の本体支持部１１ａから嵌合突部１１ｂにかけての内部には、上述した上下２段の両グランドバーＧＢ，ＧＢに接触するグランドコンタクトＧＣが埋設されている。
【００２９】
さらに、上述した絶縁ハウジング１１の本体支持部１１ａから嵌合突部１１ｂにかけての部位には、導電コンタクト部材（第１コンタクト部材）１２が、絶縁ハウジング１１の上下両表面の各々から露出する状態で、インサート成形又は圧入により埋設されている。すなわち、前述したように２種類の異なる形状をなすように形成された導電コンタクト部材１２の一方が、絶縁ハウジング１１の上側表面から上方に露出するようにして略水平に延在する状態で配置されているとともに（図８及び図１０参照）、当該導電コンタクト部材１２の他方が、絶縁ハウジング１１の下側表面から下方に露出するようにして略水平に延在する状態で配置されており（図９及び図１１参照）、それら２種類の両導電コンタクト部材１２が、多極配列方向（コネクタ長手方向）において交互に配置されている。
【００３０】
このようなプラグコネクタ（第１コネクタ）１に設けられた各導電コンタクト部材（第１コンタクト部材）１２の後端部分には、上下２段の各同軸ケーブルＳＣにおけるケーブル中心導体（信号線）ＳＣａの端末部分が、上方側及び下方側から当接された状態でそれぞれ半田接続されている。これらのケーブル中心導体ＳＣａと導電コンタクト部材１２との半田接合は一括的に行うことが可能であるが、このような一括半田接合によってプラグコネクタ１の導電コンタクト部材１２に同軸ケーブルＳＣが連結される。
【００３１】
一方、前述したように絶縁ハウジング（コネクタ本体部）１１の前端側に設けられた嵌合突部１１ｂの上下両表面には、上述した導電コンタクト部材（第１コンタクト部材）１２の前方側部分を構成している端子電極部１２ａが、多極状の露出電極を形成するように配置されている。そして、この導電コンタクト部材１２の前方側延在部分を構成している端子電極部１２ａは、前述したようにプラグコネクタ（第１コネクタ）１がリセプタクルコネクタ（第２コネクタ）２に嵌合されたときに、リセプタクルコネクタ２に設けられた導電コンタクト部材（第２コンタクト部材）２２に当接することによって信号伝送回路が構成される。なお、これらの導電コンタクト部材１２，２２は、グランド接続用として構成することも可能である。
【００３２】
さらに、リセプタクルコネクタ（第２コネクタ）２側の絶縁ハウジング（コネクタ本体部）２１に取り付けられた導電コンタクト部材（第２コンタクト部材）２２は、上述したプラグコネクタ（第１コネクタ）１側の２種類の導電コンタクト部材（第１コンタクト部材）１２に対応して２種類のものがコネクタ長手方向に多極状をなすように配列されている。それら２種類の導電コンタクト部材２２のうちの一方は、上段側に配置された導電コンタクト部材１２の上方側に延出する配置関係になされているとともに（図８及び図１０参照）、他方の導電コンタクト部材２２は、下段側に配置された導電コンタクト部材１２の下方側に延出するように配置されていて（図９及び図１１参照）、当該リセプタクルコネクタ２側に設けられた２種類の導電コンタクト部材２２が、両電気コネクタ１，２同士の嵌合時に、プラグコネクタ１側の２種類の導電コンタクト部材１２に対して、上下の両側から弾性的に接触する構成になされている。
【００３３】
また、このリセプタクルコネクタ（第２コネクタ）２に取り付けられた導電コンタクト部材（第２コンタクト部材）２２の後端部分（図８〜図１２の右端側部分）は、前述した印刷配線基板Ｂの表面上に沿って延在するように形成された基板接続脚部２２ａをそれぞれ有している。これらの基板接続脚部２２ａは、実際の使用時（実装時）において、前述した印刷配線基板Ｂ上の信号導電路又はグランド接続用の導電路に載置されてから、例えば一括的な半田接合が行われる。
【００３４】
本実施形態における導電コンタクト部材（第２コンタクト部材）２２の本体部分は、上述したコネクタ後端側に配置された基板接続脚部２２ａから上方に向かって立ち上がるように折り曲げ成形されており、その立ち上がり部位における上端部分から前方側（図８〜図１１の左方側）に向かって片持ち状に延在する構成になされている。そして、当該導電コンタクト部材２２におけるコネクタ前方側の先端部分には、上下の多極配列段ごとに下方側及び上方側に向かって山形状に張り出す接点凸部２２ｂがそれぞれ設けられている。これらの導電コンタクト部材２２に設けられた接点凸部２２ｂの下方側及び上方側の各頂部は、前述したようにプラグコネクタ（第１コネクタ）１がリセプタクルコネクタ（第２コネクタ）２に嵌合されたときに、プラグコネクタ１側の導電コンタクト部材（第１コンタクト部材）１２の端子電極部１２ａに対して、それぞれ上方側及び下方側から弾性的に接触される構成になされている。そして、このような弾性的な接触関係によって、上述した両接点部１２ａ，２２ｂ同士の電気的な接続が行われる。
【００３５】
［導電性シェル（シールドシェル部材）について］
一方、プラグコネクタ（第１コネクタ）１及びリセプタクルコネクタ（第２コネクタ）２に設けられた各絶縁ハウジング（コネクタ本体部）１１，２１の外表面は、図２に示されるように、薄板状金属部材を適宜の形状に折曲形成した導電性の第１及び第２のシールドシェル部材１３及び２３によりそれぞれ覆われている。これら第１及び第２のシールドシェル部材１３，２３は、各電気コネクタ１，２の内部に形成される信号伝送回路及びグランド回路を覆うことによって電磁遮蔽性（シールド性）を持たせる部材として装着されたものであるが、グランド回路の一部を構成する部材でもある。
【００３６】
このとき、相手コネクタであるプラグコネクタ（第１コネクタ）１側に設けられた第１シールドシェル部材１３は、絶縁ハウジング（コネクタ本体部）１１を上下から挟む一対のシェル片の嵌合体から構成されており、まず、絶縁ハウジング（コネクタ本体部）１１に対して同軸ケーブルＳＣがセットされ、その同軸ケーブルＳＣに対して両グランドバー（グランド部材）ＧＢ，ＧＢが半田接合された後に、上述した第１シールドシェル部材１３の上半側部分及び下半側部分の両シェル片部材が、絶縁ハウジング（コネクタ本体部）１１に対して上方側及び下方側から被せるようにして装着される。このような第１シールドシェル部材１３の両シェル片の上側表面及び下側表面には、多極配列方向であるコネクタ長手方向に沿って複数体のグランド接続舌片１３ａが、切り欠き加工により形成されている。それらの各グランド接続舌片１３ａは、コネクタ内方側の空間に向かって斜め方向に突出する片持ちの板バネ状をなすように切り起こされており、前述したグランドバーＧＢの上面側に対して弾性的に接触又は半田接合されている。
【００３７】
［リセプタクルコネクタの導電性シェル（シールドシェル部材）］
これに対して、リセプタクルコネクタ（第２コネクタ）２における第２シールドシェル部材２３は、絶縁ハウジング（コネクタ本体部）２１に対して上方側から被せるように装着された薄板状金属部材の折り曲げ構造体から形成されている。この第２シールドシェル部材２３におけるコネクタ長手方向の両端部分には、同方向の両側外方から絶縁ハウジング２１を挟むようにしてホールドダウン２３ａが、印刷配線基板Ｂの表面から立ち上がるように配置されている。
【００３８】
これらの各ホールドダウン２３ａは、第２シールドシェル部材２３の側壁板を形成するように、コネクタ長手方向の片側部分において一対ずつ設けられており、それらの各ホールドダウン２３ａの下端縁部が、印刷配線基板Ｂ上に形成されたグランド接続用の導電路に対して半田接合され、それによってグランド回路の電気的な接続が行われるとともに、リセプタクルコネクタ２の全体が強固に固定されるようになっている。
【００３９】
また、上述したようにコネクタ長手方向の両端部分に側壁板をなすように配置された両ホールドダウン２３ａ，２３ａ同士は、絶縁ハウジング２１の上側表面に沿って平面状の天井板をなすように延在する上側シェル板２３ｂによって一体的に連結されている。さらに、この第２シールドシェル部材２３におけるコネクタ後端側の部分には、コネクタ長手方向に延在する固定シールドプレート２３ｃが、印刷配線基板Ｂの表面から立ち上がる背面板を形成するように設けられている。
【００４０】
ここで、上述した第２シールドシェル部材２３の天板状をなすように配置されている上側シェル板２３ｂには、導電コンタクト部材（第２コンタクト部材）２２の後端部分の上方に位置する部分にシェル開口部２３ｄが形成されている。このシェル開口部２３ｄは、上側シェル板２３ｂの後方側領域を切り欠くように形成されており、より具体的には、導電コンタクト部材２２の後端部分である基板接続脚部２２ａ及びその近傍部分（上方立ち上がり部分）の上方位置に、コネクタ長手方向に沿って延在するように形成されている。そして、そのシェル開口部２３ｄが、導電コンタクト部材２２の多極配列の全幅にわたる開口長さを有していることによって、基板接続脚部２２ａを含む導電コンタクト部材２２の後端部分が、印刷配線基板Ｂの表面に対して垂直上方側から当該シェル開口部２３ｄを通して目視可能になされている。
【００４１】
上述したようにシェル開口部２３ｄは、上側シェル板２３ｂの後方側領域を切り欠くように形成されているが、当該シェル開口部２３ｄにおけるコネクタ後端側の端縁部は、背面板をなすように配置された固定シールドプレート２３ｃにより形成されている。すなわち、その固定シールドプレート２３ｃは、導電コンタクト部材（第２コンタクト部材）２２の基板接続脚部２２ａの後方側領域において、印刷配線基板Ｂの表面から立ち上がるように配置される薄板状金属部材から形成されており、当該固定シールドプレート２３ｃにおいてコネクタ長手方向に延在している上端縁部が、上述したシェル開口部２３ｄの後端縁部を形成している。
【００４２】
上述したように第２シールドシェル部材２３の背面板を形成するように設けられた固定シールドプレート２３ｃは、導電コンタクト部材（第２コンタクト部材）２２の基板接続脚部２２ａに対してコネクタ後方側から近接した領域に配置されている。当該固定シールドプレート２３ｃは、印刷配線基板Ｂの表面から上方に立ち上がるように配置されており、前述した導電コンタクト部材２２の基板接続脚部２２ａに対して、コネクタ後方側から水平方向に対面する配置関係になされていることによって、印刷配線基板Ｂの表面に平行な水平方向における電磁遮蔽（シールド）が行われるようになっている。
【００４３】
また、その固定シールドプレート２３ｃの下端縁部分には、印刷配線基板Ｂの表面上に形成されたグランド用導電路Ｂ１に接触する複数（５体）のグランド接続部２３ｅ，２３ｅ，・・・が、コネクタ後方側に向かって略直角に折れ曲がって突出するように形成されている。これらの各グランド接続部２３ｅは、固定シールドプレート２３ｃの下端縁部分を切り起こすようにして形成されており、コネクタ長手方向において略等間隔で配置されている。
【００４４】
一方、それらの各グランド接続部２３ｅに対応して、印刷配線基板Ｂの表面上には、複数（５体）のグランド用導電路Ｂ１，Ｂ１，・・・が、コネクタ長手方向に略等間隔で並列するように形成されている。当該各グランド用導電路Ｂ１は、前述したリセプタクルコネクタ（第２コネクタ）２に設けられた導電コンタクト部材（第２コンタクト部材）２２の基板接続脚部２２ａに対して、コネクタ後方側に近傍した領域に形成されており、上述した固定シールドプレート２３ｃのグランド接続部２３ｅに対応した位置に配置されている。このように固定シールドプレート２３ｃに設けられた各グランド接続部２３ｅは、印刷配線基板Ｂ側に設けられた各グランド用導電路Ｂ１上に載置された状態で、例えば一括的に半田接続される。
【００４５】
そして、上述したようにグランド接続部２３ｅを介して固定シールドプレート２３ｃがグランド用導電路Ｂ１に接続された状態にあっては、当該固定シールドプレート２３ｃにより電磁遮蔽（シールド）が行われる位置の近傍においてグランド回路が形成されることとなる。
【００４６】
また、上述した固定シールドプレート２３ｃには、後述する相手コネクタとしてのプラグコネクタ（第１コネクタ）１側に設けられた可動シールドカバー１４ｃが接触する複数（５体）の板バネ状部材２３ｆ，２３ｆ，・・・が形成されている。これらの各板バネ状部材２３ｆは、固定シールドプレート２３ｃの一部を片持ち状に切り起こして形成された弾性部材からなり、コネクタ長手方向に並列するように配置されている。
【００４７】
さらに、上述したように第２シールドシェル部材２３の側壁板を構成しているホールドダウン２３ａには、後述する相手コネクタとしてのプラグコネクタ（第１コネクタ）１に設けられた嵌合保持部材１４が嵌合されるロック部２３ｇが形成されている。このロック部２３ｇは、前述したホールドダウン２３ａからコネクタ長手方向の外方に向かって張り出すように形成されており、当該ロック部２３ｇに対して、プラグコネクタ１側の嵌合保持部材１４が係合されるようになっている。
【００４８】
［嵌合保持部材］
すなわち、相手コネクタとしてのプラグコネクタ（第１コネクタ）１が、リセプタクルコネクタ（第２コネクタ）２に嵌合されたときの両電気コネクタ１，２同士の嵌合状態は、プラグコネクタ１に設けられた嵌合保持部材１４の保持力によって維持されるようになっている。なお、リセプタクルコネクタ２に嵌合したプラグコネクタ１を、リセプタクルコネクタ２から抜去する際においては、嵌合保持部材１４を開放させる操作が行われることによって両コネクタ１，２同士が抜去可能な状態になされる。
【００４９】
より具体的には、その嵌合保持部材１４は、上述したプラグコネクタ（第１コネクタ）１の第１シールドシェル部材１３に回動可能に取り付けられており、当該嵌合保持部材１４のコネクタ長手方向両端部分に設けられた回動軸部１４ａ，１４ａが、第１シールドシェル部材１３の後端部分のコネクタ長手方向両端部分に設けられた軸受け部１３ｄ，１３ｄに遊嵌状態で回動可能に挿入されている。この嵌合保持部材１４に設けられた一対の回動軸部１４ａ，１４ａは、横断面が略矩形状をなすように形成されており、当該各回動軸部１４ａの外周表面を構成しているいずれかの平坦面に対して、前記軸受け部１３ｄに設けられたバネ規制部材１３ｅの付勢力が付与されるように構成されている。そして、そのバネ規制部材１３ｅの付勢力によって、後述する「非シールド位置（嵌合開放位置）」及び「シールド位置（嵌合作用位置）」に前記回動軸部１４ａが保持される構成になされている。
【００５０】
また、上述した回動軸部１４ａにおけるコネクタ長手方向両側の外端部分からは、一対の連結腕部１４ｂ，１４ｂが、回動半径方向にほぼ沿うように延出している。それらの連結腕部１４ｂ，１４ｂの延出端部分である回動側の先端部分同士は、コネクタ長手方向に沿って板状をなすように延在する可動シールドプレート１４ｃにより一体的に連結されている。そして、その可動シールドプレート１４ｃの一部を、組立て作業者が把持しながら適宜の回動力を付与することによって、嵌合保持部材１４の全体が、図２に示された「非シールド位置（嵌合開放位置）」と、図３〜図７に示された「シールド位置（嵌合作用位置）」との間で回動される構成になされている。
【００５１】
この嵌合保持部材１４に設けられた可動シールドプレート１４ｃは、前述したリセプタクルコネクタ（第２コネクタ）２の第２シールドシェル部材２３を上方側から覆う中空箱形状をなすように折り曲げ形成されており、平板状部材から形成された上面側シールドカバー１４ｃ１を備えているとともに、その上面側シールドカバー１４ｃ１におけるコネクタ長手方向の両側端縁部には、一対のロック板１４ｃ２，１４ｃ２が略直角に折れ曲がるように一体的に連設されている。また、上面側シールドカバー１４ｃ１におけるコネクタ後端側の端縁部には、背面側シールドカバー１４ｃ３が略直角に折れ曲がるように一体的に連設されている。
【００５２】
そのうちの上面側シールドカバー１４ｃ１は、前述した嵌合保持部材１４が「嵌合作用位置」に回動された際における天井板を形成するものであって、当該可動シールドプレート１４ｃの上面側シールドカバー１４ｃ１によって、リセプタクルコネクタ２側の第２シールドシェル部材２３に設けられた上側シェル板２３ｂ、シェル開口部２３ｄ、及び導電コンタクト部材（第２コンタクト部材）２２の後端部分が上方側から覆われるようになっている。このように導電コンタクト部材２２の基板接続脚部２２ａを含む後端部分に対して、可動シールドプレート１４ｃの上面側シールドカバー１４ｃ１が上方側から対面する配置関係になされていることによって、印刷配線基板Ｂの表面に垂直な上下方向における電磁遮蔽（シールド）が行われることとなる。
【００５３】
さらに、上述した両ロック板１４ｃ２，１４ｃ２同士は、コネクタ長手方向において互いに対面するように配置されており、それらの各ロック板１４ｃ２にはロック係止穴１４ｃ４が貫通形成されている。そして、上述したように嵌合保持部材１４が、「嵌合作用位置」に回動されてきた際に、それらの各ロック板１４ｃ２に貫通形成されたロック係止穴１４ｃ４が、リセプタクルコネクタ（第２コネクタ）２側に設けられたロック部２３ｇに係合する構成になされている。
【００５４】
より詳細には、前述したようにリセプタクルコネクタ（第２コネクタ）２の第２シールドシェル部材２３に設けられた各ホールドダウン２３ａには、上述した「シールド位置（嵌合作用位置）」に回動された嵌合保持部材１４のロック係止穴１４ｃ４が嵌合されるロック部２３ｇがそれぞれ設けられている。これらの各ロック部２３ｇは、コネクタ長手方向の外方に向かって張り出す板バネ状部材から形成されており、両電気コネクタ１，２同士の嵌合後に、嵌合保持部材１４が「シールド位置（嵌合作用位置）」の近傍まで回動されてくると、嵌合保持部材１４に設けられたロック板１４ｃ２が、上述したリセプタクルコネクタ２側のロック部２３ｇの外方張り出し部を乗り越えるようにして移動していく。そして、嵌合保持部材１４のロック係止穴１４ｃ４の内方側にロック部２３ｇが落ち込むようにして弾性変位が行われることで両者が係合状態となり、それによって嵌合保持部材１４の全体が「シールド位置（嵌合作用位置）」に弾性的に保持される。
【００５５】
このように、プラグコネクタ１がリセプタクルコネクタ２に嵌合された状態で、嵌合保持部材１４を「非シールド位置（嵌合開放位置）」から「シールド位置（嵌合作用位置）」まで回動させれば、両電気コネクタ１，２同士が、一定範囲内の外力によっては分離することなく嵌合状態に保持されることとなる。
【００５６】
また、前述したように可動シールドプレート１４ｃに設けられた背面側シールドカバー１４ｃ３は、嵌合保持部材１４が「シールド位置（嵌合作用位置）」に回動された際に、上面側シールドカバー１４ｃ１の後端縁部から下方に向かって延出する板状部材から形成されており、リセプタクルコネクタ（第２コネクタ）２側の第２シールドシェル部材２３に設けられた固定シールドプレート２３ｄに対して、コネクタ後方側から重なり合うように配置されるようになっている。この背面側シールドカバー１４ｃ３は、当該背面側シールドカバー１４ｃ３に設けられた板バネ状部材２３ｆを介して固定シールドプレート２３ｄに弾性的に接触される。
【００５７】
このように本実施形態においては、リセプタクルコネクタ（第２コネクタ）２に取り付けられた導電コンタクト部材（第２コンタクト部材）２２の後端側を除く部分が、第２シールドシェル部材２３の上側シェル板２３ｂ、ホールドダウン２３ａ，２３ａ及び固定シールドプレート２３ｃによって、元々覆われた状態になされている一方、相手コネクタとしてのプラグコネクタ（第１コネクタ）１が、リセプタクルコネクタ（第２コネクタ）２に嵌合された後に嵌合保持部材１４が「非シールド位置（嵌合開放位置）」から「シールド位置（嵌合作用位置）」まで回動された際においては、嵌合保持部材１４に設けられた可動シールドプレート１４ｃが、導電コンタクト部材（第２コンタクト部材）２２の後端側部分を覆う構成になされており、それによって導電コンタクト部材２２に対する電磁遮蔽（シールド）が良好に行われる。
【００５８】
なお、両電気コネクタ１，２同士の嵌合時においては、導電コンタクト部材（第１コンタクト部材）１２の端子電極部１２ａと、導電コンタクト部材（第２コンタクト部材）２２の接点凸部２２ｂとが接続状態になされるが、当該接続部位に関しては、上述したリセプタクルコネクタ（第２コネクタ）２側の第２シールドシェル部材２３及びプラグコネクタ（第１コネクタ）１側の可動シールドプレート１４ｃが外方側から覆う構成になされている。
【００５９】
このような構成を備えた本発明にかかる実施形態によれば、まずリセプタクルコネクタ（第２コネクタ）２が印刷配線基板Ｂ上に実装された状態において、第２シールドシェル部材２３に設けられた固定シールドプレート２３ｃが、導電コンタクト部材（第２コンタクト部材）２２の基板接続脚部２２ａを、当該基板接続脚部２２ａとの対向方向であるコネクタ後方側の外方から覆った状態になされる。そして、そのような実装状態から、両電気コネクタ１，２同士が嵌合され、その後に嵌合保持部材１４が「非シールド位置（嵌合開放位置）」から「シールド位置（嵌合作用位置）」まで回動操作されると、当該嵌合保持部材１４に設けられた可動シールドプレート１４ｃが、リセプタクルコネクタ（第２コネクタ）２側のシェル開口部２３ｄを覆い、それによって、導電コンタクト部材２２の基板接続脚部２２ａが、印刷配線基板Ｂの垂直上方側からも可動シールドプレート１４ｃにより覆われることとなり、印刷配線基板Ｂと導電コンタクト部材２２との接続部位に対する電磁遮蔽（シールド）が良好に行われる。
【００６０】
また、本実施形態においては、導電コンタクト部材（第２コンタクト部材）２２の基板接続脚部２２ａの近傍に配置されたグランド接続用の導電路Ｂ１に対して固定シールドプレート２３ｃが接続されることにより、電磁遮蔽（シールド）を行う部位の近傍位置でのグランド接続が行われることとなり、良好な電磁遮蔽の特性が得られる。
【００６１】
さらに、本実施形態においては、嵌合保持部材１４に設けられた可動シールドプレート１４ｃが、シェル開口部２３ｄを覆う「シールド位置（嵌合作用位置）」に向かって回動操作を行うまでの間、印刷配線基板Ｂと導電コンタクト部材２２との接続部位がシェル開口部２３ｄを通して外方に露出されていることから、当該接続部位における接続状態が、上方から例えば目視によって良好に確認される。
【００６２】
さらにまた、両電気コネクタ１，２同士の嵌合後に嵌合保持部材１４が回動操作されることによって、当該両電気コネクタ１，２同士の嵌合状態が良好に維持されることとなるが、それと同時に、嵌合保持部材１４の把持力によって、電磁遮蔽（シールド）を行うためのグランド接続が確実かつ強固に行われることとなり、電磁遮蔽（シールド）特性が一層向上される。
【００６３】
加えて、本実施形態においては、可動シールドプレート１４ｃと固定シールドプレート２３ｃとが、板バネ状部材２３ｆを介して良好に接触されることから、電磁遮蔽（シールド）特性が更に向上される。
【００６４】
また、本実施形態においては、リセプタクルコネクタ（第２コネクタ）２に、嵌合保持部材１４を「シールド位置（嵌合作用位置）」に保持するロック部２３ｇが設けられていることから、両電気コネクタ１，２同士の嵌合状態がロック部２３ｇにより良好に保持される。
【００６５】
一方、上述した第１の実施形態と同一の構成部材に対して同一の符号を付した図１３〜図１５にかかる第２の実施形態は、リセプタクルコネクタ（第２コネクタ）２に、可動シールドプレート２４ｃが設けられたものである。
【００６６】
可動シールドプレート２４ｃは、第２シールドシェル部材２３の両側壁板を形成しているホールドダウン２３ａ，２３ａに対して、回動アーム２４ｃ１，２４ｃ１を介して回動自在に取り付けられており、それらの回動アーム２４ｃ１，２４ｃ１の回動半径の外方側部分をコネクタ長手方向に掛け渡すようにして上面側シールドカバー２４ｃ２が設けられている。また、その上面側シールドカバー２４ｃ２における回動半径の外方側の端縁部には、略直角に折れ曲がって延在する背面側シールドカバー２４ｃ３が一体的に連設されている。
【００６７】
このような可動シールドプレート２４ｃは、前述したように第２シールドシェル部材２３の後方側領域に形成されたシェル開口部２３ｄ（図１参照）を開放する「非シールド位置」と、図１３に示された「シールド位置」との間で回動操作される構成になされており、「シールド位置」まで回動された可動シールドプレート２４ｃの上面側シールドカバー１４ｃ１によって、シェル開口部２３ｄが閉塞され、それにより導電コンタクト部材（第２コンタクト部材）２２の基板接続脚部２２ａを含む後端部分が、当該上面側シールドカバー１４ｃ１によって上方側から覆われるようになっている。
【００６８】
このように導電コンタクト部材２２の基板接続脚部２２ａを含む後端部分に対して、可動シールドプレート２４ｃの上面側シールドカバー２４ｃ２が上方側から対面する配置関係になされていることで、印刷配線基板Ｂの表面に垂直な上下方向における電磁遮蔽（シールド）が行われる。
【００６９】
また、この第２実施形態においても、上述した第１実施形態と同様に、第２シールドシェル部材２３の背面板を形成する固定シールドプレート２３ｃ（図示省略）が、導電コンタクト部材（第２コンタクト部材）２２の基板接続脚部２２ａに対してコネクタ後方側から近接した領域に、印刷配線基板Ｂの表面から上方に立ち上がるように配置されている。そして、そのように固定シールドプレート２３ｃが、導電コンタクト部材２２の基板接続脚部２２ａに対してコネクタ後方側から対面する配置関係になされていることによって、印刷配線基板Ｂの表面に平行な水平方向（印刷配線基板Ｂの延在方向）における電磁遮蔽（シールド）が行われるようになっている。
【００７０】
［嵌合保持部材］
一方、図１４のように相手コネクタとしてのプラグコネクタ（第１コネクタ）１がリセプタクルコネクタ（第２コネクタ）２に嵌合された嵌合状態は、図１５で示されるようにプラグコネクタ（相手コネクタ）１に設けられた嵌合保持部材１５によって維持されるように構成されている。また、リセプタクルコネクタ２に嵌合したプラグコネクタ１をリセプタクルコネクタ２から抜去するにあっては、嵌合保持部材１５を開放させる操作が行われることによって、両電気コネクタ１，２同士が抜去可能な状態になされる。
【００７１】
すなわち、上述した嵌合保持部材１５は、プラグコネクタ（第１コネクタ）１の第１シールドシェル部材１３に回動可能に取り付けられた構成になされており、当該嵌合保持部材１５のコネクタ長手方向両端部分に設けられた回動軸部１５ａ，１５ａが、第１シールドシェル部材１３の後端部分におけるコネクタ長手方向両端部分に設けられた軸受け部１３ｄ，１３ｄに回動可能に挿入されている。この嵌合保持部材１５に設けられた一対の回動軸部１５ａ，１５ａは、前述した実施形態と同様に、軸受け部１３ｄに設けられたバネ規制部材１３ｅの付勢力が付与されており、それによって「嵌合開放位置」及び「嵌合作用位置」に回動軸部１５ａが保持される構成になされている。
【００７２】
また、上述した回動軸部１５ａにおけるコネクタ長手方向の外端部分からは、連結腕部１５ｂが、回動半径方向にほぼ沿うようにして延出しており、その連結腕部１５ｂの延出端部分である回動側の先端部分どうしが、コネクタ長手方向に沿って略直線状に延在する回動操作部１５ｃにより一体的に連結されている。そして、その回動操作部１５ｃの一部を作業者が把持して適宜の回動力を付与することによって、前記嵌合回動アーム１５の全体が、図示を省略した「嵌合開放位置」と、図示された「嵌合作用位置」との間で回動されるようになっている。
【００７３】
このように、プラグコネクタ（第１コネクタ）１がリセプタクルコネクタ（第２コネクタ）２に嵌合された状態において、嵌合保持部材１５を「嵌合開放位置」から「嵌合作用位置」まで回動させれば、当該嵌合保持部材１５の回動操作部１５ｃが、「シールド位置」にある可動シールドプレート２４ｃの背面側シールドカバー２４ｃ３に対して後方側から当接し、それによって可動シールドプレート２４ｃが「シールド位置」に保持されるとともに、両電気コネクタ１，２どうしが分離することなく嵌合状態に保持されるようになっている。
【００７４】
なお、「嵌合作用位置」に回動された際における嵌合保持部材１５の回動操作部１５ｃは、前述した固定シールドプレート２３ｃのググランド接続部２３ｅに対して上方側から近接するように配置される。
【００７５】
このような第２実施形態においても、上述した第１実施形態と同様に、印刷配線基板Ｂと導電コンタクト部材２２との接続部位に対する電磁遮蔽（シールド）が良好に行われるとともに、可動シールドプレート２４ｃがシェル開口部２３ｄを覆う「シールド位置」に向かって回動操作を行うまでは、印刷配線基板Ｂと導電コンタクト部材２２との接続部位がシェル開口部２３ｄを通して外方に露出されているため、当該接続部位における接続状態が、上方から例えば目視によって良好に確認される。
【００７６】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００７７】
例えば、本発明は、上述した実施形態のような同軸ケーブル用コネクタに限定されることはなく、絶縁ケーブル用コネクタや、同軸ケーブルと絶縁ケーブルとが複数混合したタイプの電気コネクタや、フレキシブル配線基板等が連結される電気コネクタ、プリント基板同士を接続する基板対基板コネクタ等についても同様に適用することが可能である。
【産業上の利用可能性】
【００７８】
以上のように本実施形態は、各種電気機器に使用される多種多様な電気コネクタに対して広く適用することが可能である。
【符号の説明】
【００７９】
１  プラグコネクタ（第１コネクタ）
１１  絶縁ハウジング（コネクタ本体部）
１１ａ  本体支持部
１１ｂ  嵌合突部
１２  導電コンタクト部材（第１コンタクト部材）
１２ａ  端子電極部
１３  第１シールドシェル部材
１３ａ  グランド接続舌片
１３ｄ  軸受け部
１３ｅ  バネ規制部材
１４  嵌合保持部材
１４ａ  回動軸部
１４ｂ  連結腕部
１４ｃ  可動シールドプレート
１４ｃ１  上面側シールドカバー
１４ｃ２  ロック板
１４ｃ３  背面側シールドカバー
１４ｃ４  ロック係止穴
ＧＢ  グランドバー
ＧＣ  グランドコンタクト
ＳＣ  同軸ケーブル（信号伝送媒体）
ＳＣａ  ケーブル中心導体（信号線）
ＳＣｂ  ケーブル外部導体（シールド線）
２  リセプタクルコネクタ（第２コネクタ）
２１  絶縁ハウジング（コネクタ本体部）
２２  導電コンタクト部材（第２コンタクト部材）
２２ａ  基板接続脚部
２２ｂ  接点凸部
２３  第２シールドシェル部材
２３ａ  ホールドダウン
２３ｂ  上側シェル板
２３ｃ  固定シールドプレート
２３ｄ  シェル開口部
２３ｅ  グランド接続部
２３ｆ  板バネ状部材
２３ｇ  ロック部
Ｂ  印刷配線基板
Ｂ１  グランド接続用の導電路
２４ｃ  可動シールドプレート
２４ｃ１  回動アーム
２４ｃ２  上面側シールドカバー
２４ｃ３  背面側シールドカバー
１５  嵌合保持部材
１５ａ  回動軸部
１５ｂ  連結腕部
１５ｃ  回動操作部
【図１】
0006052268.tif 000002
【図２】
0006052268.tif 000003
【図３】
0006052268.tif 000004
【図４】
0006052268.tif 000005
【図５】
0006052268.tif 000006
【図６】
0006052268.tif 000007
【図７】
0006052268.tif 000008
【図８】
0006052268.tif 000009
【図９】
0006052268.tif 000010
【図１０】
0006052268.tif 000011
【図１１】
0006052268.tif 000012
【図１２】
0006052268.tif 000013
【図１３】
0006052268.tif 000014
【図１４】
0006052268.tif 000015
【図１５】
0006052268.tif 000016